(57)【要約】【課題】変動磁場を利用し、簡易な利用方法で健康促進効果および美容効果が得られる磁気保健器を提供する。【解決手段】磁気保健器１は、使用者により保持される保持部１５と、保持部１５と連続したアーム部１６とを有する本体１１と、アーム部１６の長さ方向の少なくとも一部にアーム部１６の外周に沿って設けられた中空部材であり、使用者の皮膚と接触し周方向に移動されることにより回転する回転ローラ１２ａ〜１２ｃと、回転ローラ１２ａ〜１２ｃの中空部に設けられ、円柱形状を有し周方向に磁極が形成された磁石１３と、回転ローラ１２ａ〜１２ｃの回転に伴い磁石１３を回転させる磁石駆動部１４と、を備えた。【選択図】  図２
0003177392.tif 000002
【実用新案登録請求の範囲】
【請求項１】
使用者により保持される保持部と、前記保持部と連続したアーム部とを有する本体と、
前記アーム部の長さ方向の少なくとも一部に前記アーム部外周に沿って設けられた中空部材であり、前記使用者の皮膚と接触し周方向に移動されることにより回転する回転ローラと、
前記回転ローラの中空部に設けられ、円柱形状を有し周方向に磁極が形成された磁石と、
前記回転ローラの回転に伴い前記磁石を回転させる磁石駆動部と、
を備えたことを特徴とする磁気保健器。
【請求項２】
前記回転ローラは、外周側に複数の突起を有する請求項１記載の磁気保健器。
【請求項３】
前記磁石駆動部は、前記回転ローラの回転速度より大きい回転速度で前記磁石を回転させる請求項１または２記載の磁気保健器。
【請求項４】
前記回転ローラは、複数個設けられた請求項１〜３のいずれか一項記載の磁気保健器。
【請求項５】
前記回転ローラは、前記アーム部の長さ方向に沿って３つ設けられ、真ん中に配置された回転ローラにのみ前記磁石が設けられた請求項４記載の磁気保健器。
【請求項６】
前記回転ローラは、内周側に内歯車が形成され、
前記磁石駆動部は、前記回転ローラの内歯車と噛み合い前記回転ローラの回転に伴い回転する１つ以上の遊星歯車と、前記１つ以上の遊星歯車と噛み合い前記遊星歯車の回転に伴い回転し前記磁石に固定された太陽歯車とを有する請求項１〜５のいずれか一項記載の磁気保健器。
【請求項７】
磁気保健器に設けられる回転磁気発生ユニットであって、
中空部材であり、前記使用者の皮膚と接触し周方向に移動されることにより回転する回転ローラと、
前記回転ローラの中空部に設けられ、円柱形状を有し周方向に磁極が形成された磁石と、
前記回転ローラの回転に伴い前記磁石を回転させる磁石駆動部と、
を備えたことを特徴とする回転磁気発生ユニット。
【考案の詳細な説明】
【技術分野】
【０００１】
本考案は、使用者の手で保持されて使用される、変動磁場を利用した磁気保健器およびこの磁気保健器に設けられる回転磁気発生ユニットに関する。
【背景技術】
【０００２】
今日、磁気の人体に及ぼす影響の研究の進展に伴い、定常磁場より変動磁場の方が人体中の血液などの体液の循環促進効果が大きいという知見が得られている。このような知見に基づき、特許文献１には、磁気保健器用回転磁気発生装置（単に「回転磁気発生装置」という。）が提案されている。
【０００３】
この回転磁気発生装置は、回転方向に着磁した磁性回転体を軸支するとともに、その外周に間隙を存して該磁性回転体の回転軸方向に巻回したコイルを配設する。また、この回転磁気発生装置には、このコイルの通電電流を一定周期で正逆交互に切り換える電源が接続される。この回転磁気発生装置は、例えば、直径数ｍｍ、全長２ｃｍ程度の円筒形状の小型装置として構成され、使い勝手のよいものであった。
【先行技術文献】
【特許文献】
【０００４】
【特許文献１】実公平３−１００９号公報
【考案の概要】
【考案が解決しようとする課題】
【０００５】
ところで、このように装置を小型に構成しても、内蔵電源としての電池寿命には限りがあった。特許文献１の装置において電池の寿命を可及的に延ばすために、電源の接続を回転磁気発生装置の使用状態時に限ることが考えられる。具体的には、磁性回転体とコイルとを収容するケース本体に対する蓋体の閉動作時にのみ、コイルと電源を接続することが考えられる。
【０００６】
しかし、このような回転磁気発生装置の場合であっても電池を必要とする。このため、電池が消耗すれば古い電池を廃棄し、新しい電池を購入する必要がある。よって、上述した回転磁気発生装置は、環境的に好ましいものではなかった。また、使用者にとっては電池の取り替え作業の手間が必要となる。このため、使用者は電池交換をしないで回転磁気発生装置を捨ててしまう場合があり、この回転磁気発生装置は、いわゆる使い捨て状態にあった。
【０００７】
また、回転磁気発生装置は、身体に貼着するなどして取り付けなければならない。使用者にとっては、回転磁気発生装置を貼着したりはがしたりという作業が面倒だったり、衣服を着ても回転磁気発生装置が目立ったりする。このため、使用者は、日常的に繰り返して身体に接触させることにより効果が奏される磁気保健器を購入しても、無駄に終わってしまうこともあった。
【０００８】
そこで、本考案はこのような事情を考慮してなされたもので、変動磁場を利用し、簡易な利用方法で健康促進効果や美容効果が得られる磁気保健器を提供することを目的とする。
【課題を解決するための手段】
【０００９】
本考案に係る磁気保健器は、上述した課題を解決するために、使用者により保持される保持部と、前記保持部と連続したアーム部とを有する本体と、前記アーム部の長さ方向の少なくとも一部に前記アーム部外周に沿って設けられた中空部材であり、前記使用者の皮膚と接触し周方向に移動されることにより回転する回転ローラと、前記回転ローラの中空部に設けられ、円柱形状を有し周方向に磁極が形成された磁石と、前記回転ローラの回転に伴い前記磁石を回転させる磁石駆動部と、を備えたことを特徴とする。
【００１０】
また、本考案に係る回転磁気発生ユニットは、磁気保健器に設けられる回転磁気発生ユニットであって、中空部材であり、前記使用者の皮膚と接触し周方向に移動されることにより回転する回転ローラと、前記回転ローラの中空部に設けられ、円柱形状を有し周方向に磁極が形成された磁石と、前記回転ローラの回転に伴い前記磁石を回転させる磁石駆動部と、を備えたことを特徴とする。
【考案の効果】
【００１１】
本考案に係る磁気保健器およびこの磁気保健器に設けられる回転磁気発生ユニットにおいては、変動磁場を利用し、簡易な利用方法で健康促進効果や美容効果を得ることができる。
【図面の簡単な説明】
【００１２】
【図１】本考案に係る磁気保健器の一実施形態を示す構成図。
【図２】図１の磁気保健器の部分断面図。
【図３】図２のIII−III間の拡大図。
【図４】図１のIV−IV線に沿う断面図。
【図５】図１のV−V線に沿う断面図。
【図６】本実施形態における磁気保健器の変形例を示す構成図。
【考案を実施するための形態】
【００１３】
本考案に係る磁気保健器およびこの磁気保健器に設けられる回転磁気発生ユニットの一実施形態を添付図面に基づいて説明する。
【００１４】
図１は、本考案に係る磁気保健器の一実施形態を示す構成図である。
【００１５】
図２は、図１の磁気保健器１の部分断面図である。
【００１６】
図３は、図２のIII−III間の拡大図である。
【００１７】
図４は、図１のIV−IV線に沿う断面図である。
【００１８】
図５は、図１のV−V線に沿う断面図である。
【００１９】
磁気保健器１は、本体１１、回転ローラ１２ａ〜１２ｃ、磁石１３、および磁石駆動部１４を備える。また、回転ローラ１２ｂ、磁石１３、および磁石駆動部１４は、回転磁気発生ユニット１０を構成する。
【００２０】
図１に示すように、本体１１は、保持部１５およびアーム部１６を有する。本体１１は、例えば樹脂（プラスチック）で形成される。
【００２１】
保持部１５は、磁気保健器１の使用者により保持される棒状部材である。保持部１５は、保持部１５の端部１５ａからアーム部１６との接続部１５ｂに向かって径が徐々に大きくなり、中程から次第に小さくなる形状を有する。アーム部１６は、保持部１５と接続されたアーチ状の棒状部分である。
【００２２】
アーム部１６のアーチ形状は、磁気保健器１が使用される箇所に応じて決定される。例えば、磁気保健器１が肩に使用される場合には、肩の形状に応じた形状に形成され、腕に使用される場合には、腕の形状に応じた形状に形成される。また、磁気保健器１が肩、腕、足、および顔などの体の様々な箇所に使用される場合には、これら体の様々な箇所の形状に対応可能な形状に形成される。
【００２３】
アーム部１６は、第一接続部材２１〜第三接続部材２３、および先端部材２４を有する。第一接続部材２１〜第三接続部材２３、および先端部材２４は、保持部１５側から本体１１の先端１１ａ側にかけて、第一接続部材２１、第二接続部材２２、第三接続部材２３、先端部材２４の順に配置される。
【００２４】
図２および図３に示すように、第一接続部材２１は、保持部１５と連続した部材である。第一接続部材２１は、保持部１５から本体１１の先端１１ａの方向に、回転ローラ１２ａの回転軸２１ａ、および雄ねじ２１ｂを順次有する。回転軸２１ａおよび雄ねじ２１ｂは、第一接続部材２１の他の領域に比べて小さい径を有する。
【００２５】
第二接続部材２２は、第一接続部材２１と、回転磁気発生ユニット１０とを接続する部材である。第二接続部材２２は、保持部１５側端部に、第一接続部材２１の雄ねじ２１ｂとねじ止めされる雌ねじ２２ａを有する。また、第二接続部材２２は、図３に示すように、本体１１の先端１１ａ側端部に、雄ねじ２５ａを有する固定部材２５とねじ止めされる雌ねじ２２ｂを有する。固定部材２５は、回転磁気発生ユニット１０と第二接続部材２２とを接続するための部材である。固定部材２５は、径方向のほぼ中心に雌ねじ２５ｂを有する。
【００２６】
第三接続部材２３は、回転磁気発生ユニット１０と、先端部材２４とを接続する部材である。第三接続部材２３は、図３に示すように、保持部１５側端部に、雄ねじ２６ａを有する固定部材２６とねじ止めされる雌ねじ２３ａを有する。固定部材２６は、回転磁気発生ユニット１０と第三接続部材２３とを接続するための部材である。固定部材２６は、径方向のほぼ中心に雌ねじ２６ｂを有する。第三接続部材２３は、本体１１の先端１１ａ側端部に、雌ねじ２３ｂを有する。
【００２７】
先端部材２４は、本体１１の先端を形成する部材である。先端部材２４は、保持部１５から本体１１の先端１１ａ側の方向に、雄ねじ２４ａ、および回転ローラ１２ｃの回転軸２４ｂを順次有する。雄ねじ２４ａおよび回転軸２４ｂは、先端部材２４の他の領域に比べて小さい径を有する。
【００２８】
回転ローラ１２ａ〜１２ｃは、保持部１５から本体１１の先端１１ａの方向に、回転ローラ１２ａ、回転ローラ１２ｂ、回転ローラ１２ｃの順に設けられる。回転ローラ１２ａ、１２ｃは、ほぼ同様の構成を有する。以下、回転ローラ１２ａ〜１２ｃを区別しない場合には、単に「回転ローラ１２」という。
【００２９】
回転ローラ１２は、アーム部１６の長さ方向の少なくとも一部にアーム部１６外周に沿って設けられる。回転ローラ１２は、外周側に複数の突起３１ａ〜３１ｃを有する、円柱状の中空部材である。回転ローラ１２は、使用者の皮膚と接触し使用者により周方向に移動されることにより、皮膚との摩擦により回転する。回転ローラ１２は、例えば本体１１と同様の樹脂で形成される。また、回転ローラ１２は、白金、銅、ゲルマニウムなどの金属で形成してもよい。複数の突起３１ａ〜３１ｃ（突起３１）は、回転ローラ１２の周方向および軸方向に亘って回転ローラ１２の外周面を覆う。突起３１は、例えば円錐形状や三角錐形状、四角錐形状を有する。突起３１は、例えば子供に鍼灸療法を施す際に用いられる小児鍼のような、使用者の皮膚に若干の刺激を与えることができるものであれば、形状や配置はこれに限らない。
【００３０】
図３および図４に示すように、回転ローラ１２ａ、１２ｃは、内周面にガイド３２ａ、３２ｃを有する。ガイド３２ａ、３２ｃは、例えば円錐形の突起である。ガイド３２ａ、３２ｃは、例えば周方向に４箇所、軸方向に２箇所からなる合計６箇所に設けられる。ガイド３２ａ、３２ｃは、回転ローラ１２ａ、１２ｃが回転する際、アーム部１６の回転軸２１ａ、２４ｂと点接触し、回転ローラ１２ａ、１２ｃが適切に回転軸２１ａ、２４ｂ周りに回転するよう案内する。
【００３１】
回転ローラ１２ｂは、ベアリング４８を介してシャフト４１周りを回転するよう、円柱両端部の開口がシャフト４１に沿ってすぼんだ形状を有する。回転ローラ１２ｂは、回転ローラ１２ｂの内周面の一部であって後述する遊星歯車４３ａ〜４３ｃと対応する位置に、内歯車４０を有する。
【００３２】
磁石１３は、回転ローラ１２ｂの中空部分に設けられる。磁石１３は、円柱形状を有し、周方向に磁極が形成される。すなわち、図３に示すように、周方向に二分割して一方がＮ極１３ａ、他方がＳ極１３ｂに着磁される。磁石１３は、軸方向中心に貫通孔１３ｃを有する。
【００３３】
図３および図５に示すように、磁石駆動部１４は、回転ローラ１２ｂ中空部分に設けられ、回転ローラ１２ｂの回転に伴い磁石１３を回転させる。磁石駆動部１４は、シャフト４１、太陽歯車４２、および遊星歯車４３ａ〜４３ｃを主に有する。
【００３４】
シャフト４１は、回転ローラ１２ｂおよび磁石１３の軸方向に一致する方向に伸びた部材であり、磁石１３の貫通孔１３ｃおよび太陽歯車４２の貫通孔４２ａ（図５）を貫通する。図３に示すように、シャフト４１は、保持部１５側の端部に雄ねじ４１ａを有する。雄ねじ４１ａは、固定部材２５の雌ねじ２５ｂにねじ止めされることにより、回転磁気発生ユニット１０と第二接続部材２２とを連結する。また、シャフト４１は、本体１１の先端１１ａ側の端部に雄ねじ４１ｂを有する。雄ねじ４１ｂは、固定部材２６の雌ねじ２６ｂにねじ止めされることにより、回転磁気発生ユニット１０と第三接続部材２３とを連結する。シャフト４１は、各遊星歯車４３ａ〜４３ｃの回転軸４６ａ〜４６ｃを支持する歯車支持部４５を有する。歯車支持部４５は、シャフト４１に直交方向に固定された円盤状部材である。なお、シャフト４１とシャフト４１周りに回転する回転ローラ１２ｂとの対向部には、ベアリング４８が設けられる。
【００３５】
太陽歯車４２は、貫通孔４２ａを有し、この貫通孔４２ａを貫通するシャフト４１を回転軸として回転する。太陽歯車４２は、磁石１３に対して固定される。このため、磁石１３は、太陽歯車４２の回転に伴い回転する。
【００３６】
図５に示すように、各遊星歯車４３ａ〜４３ｃは、太陽歯車４２および回転ローラ１２ｂの内歯車４０に噛み合う歯車である。遊星歯車４３ａ〜４３ｃは、太陽歯車４２の周方向にほぼ均等となるように配置される。
【００３７】
次に、本実施形態における磁気保健器１の作用を説明する。
【００３８】
磁気保健器１は、保持部１５を介して使用者に保持され、肩、腕、足、顔などの皮膚上で磁気保健器１の長さ方向にほぼ直交する方向に往復移動される。これにより、回転ローラ１２は、皮膚との摩擦により回転する。回転ローラ１２の突起３１は、皮膚に接触することにより皮膚に刺激を与え、血流やリンパの流れ、筋肉のこりなどを緩和することができる。
【００３９】
また、磁気保健器１の皮膚上での往復移動に伴い、磁石１３も皮膚上で往復移動することになる。このため、皮膚上（人体上）で磁場を往復平行運動させることができ、人体中の血液などの体液の循環促進効果を得ることができる。
【００４０】
一方、回転ローラ１２ｂの内周面には、遊星歯車４３ａ〜４３ｃと噛み合う内歯車４０が形成されている。このため、回転ローラ１２ｂの回転により、遊星歯車４３ａ〜４３ｃが回転する。また、遊星歯車４３ａ〜４３ｃは、太陽歯車４２と噛み合うため、遊星歯車４３ａ〜４３ｃの回転に伴い太陽歯車４２が回転する。太陽歯車４２は磁石１３に固定されているため、太陽歯車４２の回転に伴い、磁石１３も回転する。周方向（回転方向）に磁極が形成された磁石１３は、自身の回転に伴い、磁場を変動させる。すなわち、磁石１３は、人体に対して変動磁場を形成することができる。
【００４１】
ここで、出力としての太陽歯車４２は、入力としての回転ローラ１２ｂ（内歯車４０）の回転速度よりも大きい速度で回転する。このため、太陽歯車４２に固定されている磁石１３は、回転ローラ１２ｂの回転速度よりも大きい速度で回転することができる。よって、磁石１３は、回転ローラ１２ｂの回転速度、すなわち使用者による磁気保健器１の移動速度よりも、大きい速度で回転することができ、変動磁場の変動速度を大きくすることができる。これにより、磁気保健器１は、人体中の血液等の体液の循環促進効果をより増大させることができる。
【００４２】
このような本実施形態における磁気保健器１は、回転ローラ１２ｂと、回転ローラ１２ｂの回転に伴い回転する磁石１３とを有することにより、電池などの電源を要することなく簡易な構成で変動磁場を形成することができる。
【００４３】
また、磁気保健器１は、磁石駆動部１４による磁石１３の回転に伴い回転する変動磁場と、使用者が磁気保健器１を往復平行移動することに伴い往復平行運動する変動磁場とを形成することができる。これにより、磁気保健器１は、２種類の変動磁場を利用して、変動磁気による体液の循環促進効果を得ることができる。
【００４４】
また、磁気保健器１は、回転ローラ１２の表面に形成された突起３１により、使用者の皮膚に適度な刺激を与えることができる。これにより、磁気保健器１は、上述した２種類の変動磁場による体液の循環促進効果と、突起３１による刺激（例えば、小児鍼治療に相当する効果）とで、使用者の健康促進や美容効果に対して相乗効果を得ることができる。
【００４５】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【００４６】
例えば、回転ローラ１２および回転磁気発生ユニット１０の数はこれに限らず、磁気保健器１を使用する部位に応じて決定するのが好ましい。例えば、回転磁気発生ユニット１０は、個数や箇所を自由に決定してアーム部１６に連結できるようにしてもよい。
【００４７】
また、磁石駆動部１４は、磁石１３の一端側のみに太陽歯車４２および遊星歯車４３ａ〜４３ｃを設けたが、図６に示すように磁石１３の両端に設けてもよい。
【符号の説明】
【００４８】
１  磁気保健器
１０  回転磁気発生ユニット
１１  本体
１２ａ〜１２ｃ（１２）  回転ローラ
１３  磁石
１４  磁石駆動部
１５  保持部
１６  アーム部
２１  第一接続部材
２２  第二接続部材
２３  第三接続部材
２４  先端部材
３１ａ〜３１ｃ（３１）  突起
４０  内歯車
４１  シャフト
４２  太陽歯車
４３ａ〜４３ｃ  遊星歯車
【図１】
0003177392.tif 000003
【図２】
0003177392.tif 000004
【図３】
0003177392.tif 000005
【図４】
0003177392.tif 000006
【図５】
0003177392.tif 000007
【図６】
0003177392.tif 000008